(57)【要約】【課題】エレベータの乗りかご内で、訪問者など他に同乗者が居ても、安心してエレベータが利用できる集合住宅におけるエレベータの防犯システムを提供する。【解決手段】かご呼び釦7Aの操作をかご呼び釦操作検出部9Ccで検出すると、当該乗りかご7の運行中における監視カメラ7Bの映像を記録部10Cで記録し、記録した映像を防犯監視画面10Dbとして表示部10Dに表示し、かご呼び釦の操作でかご呼び登録した階床に乗りかご7が到着すると防犯監視画面10Dbの表示を解除する。【選択図】図１
2016016953.tif 000002
【特許請求の範囲】
【請求項１】
乗りかご内を監視する監視カメラと、
集合住宅の居住者であることを照合する居住者照合装置と、
前記居住者の認証情報と前記居住者の居室がある階床信号を記憶する記憶部を有する端末装置と、
前記乗りかごを玄関階に呼び寄せる玄関階呼び寄せ指令部、及び所望の階床のかご呼び登録を行うかご呼び登録指令部、並びにかご呼び釦の操作を検出するかご呼び釦操作検出部を有するエレベータ運行制御装置と、
前記監視カメラの映像を記録する記録部、及び前記記録部に記録された映像を再生表示する表示部を有する監視装置を備え、
乗客の照合による前記居住者照合装置からの検出信号と、前記記憶部に記憶されている前記認証情報の一致で、前記乗客が前記集合住宅の居住者であることを前記端末装置で認証すると、前記玄関階呼び寄せ指令部により玄関階呼び自動登録して前記乗りかごを前記玄関階に呼び寄せ、前記乗りかごが玄関階に到達した後、前記かご呼び登録指令部により前記記憶部に記憶されている当該居住者の階床信号をかご呼び登録信号として自動登録して、前記乗りかごを当該居住者の居住階床まで運行するエレベータの防犯システムであって、
前記かご呼び釦操作検出部で前記かご呼び釦の操作を検出すると、当該乗りかごの運行中における前記監視カメラの映像を前記記録部で記録し、記録した映像を防犯監視画面として前記表示部に表示するように制御する
ことを特徴とする集合住宅におけるエレベータの防犯システム。
【請求項２】
請求項１に記載のエレベータの防犯システムにおいて、
前記集合住宅に複数の前記監視カメラが設置され、
前記表示部の画面を複数に分割して表示する通常監視画面と、画面を分割しないで前記表示部の全画面を前記防犯監視画面に切り替える表示制御手段が前記監視装置に設けられ、
前記かご呼び釦操作検出部によるかご呼び釦操作の検出が無いときは、前記表示制御手段により前記表示部の画面を前記通常監視画面として、複数に分割された画面に前記複数の監視カメラの映像をそれぞれ表示し、
前記かご呼び釦操作検出部によるかご呼び釦操作の検出が有ると、前記表示制御手段により前記通常監視画面の画面から前記防犯監視画面に切り替えて表示するように制御する
ことを特徴とするエレベータの防犯システム。
【請求項３】
請求項１または２に記載のエレベータの防犯システムにおいて、
前記かご呼び釦操作検出部によるかご呼び釦操作の検出が有ると、前記記録部は居住者以外の者が同乗していることを示す信号を前記映像と共に記録するように制御する
ことを特徴とするエレベータの防犯システム。
【請求項４】
請求項１または２に記載のエレベータの防犯システムにおいて、
入退館以外は施錠して入退館時にその施錠を解除して入退館を可能にする自動ドアが前記集合住宅の玄関に設けられ、前記自動ドアの集合住宅の外側に前記居住者照合装置が設置され、
前記自動ドアの開き動作を指令する自動ドア開放指令部が前記端末装置に設けられ、
前記乗客の照合により当該乗客が前記集合住宅の居住者であることを前記端末装置で認証すると、前記自動ドア開放指令部により前記自動ドアを開放して前記居住者の前記集合住宅への入館を可能にするように制御する
ことを特徴とするエレベータの防犯システム。
【請求項５】
請求項４に記載のエレベータの防犯システムにおいて、
前記集合住宅の外側に玄関インターンホンが設けられ、各居住者の居室に居室インターンホンと自動ドア開放操作部が設けられて、
前記玄関インターンホンと前記居室インターンホンが通話可能に接続され、
前記自動ドア開放操作部により前記自動ドアが開放可能になるように制御する
ことを特徴とするエレベータの防犯システム。
【請求項６】
請求項５に記載のエレベータの防犯システムにおいて、
前記自動ドア開放操作部により前記自動ドアを開放した際の訪問者の入館に関する情報を前記監視装置に記憶するように制御する
ことを特徴とするエレベータの防犯システム。
【発明の詳細な説明】
【技術分野】
【０００１】
本発明は、集合住宅におけるエレベータの防犯システムに関する。
【背景技術】
【０００２】
近年、ストーカによる犯罪が増加し、集合住宅であるマンションに居住する女性、幼児あるいは高齢者などに対するセキュリティ強化のため、エレベータの乗りかご内に設置した監視カメラの映像を記録し、有事にそれを再生して犯罪者を特定したり、監視カメラの設置で犯罪を予防することが行われている(従来技術１)。
【０００３】
また、マンションの玄関に設けられているカードリーダで、マンションの居住者であることを特定する認証コードを記憶した認証カードの認証コードを読み取り、認証コードによってマンションの居住者か否かを識別する。そして、マンションの居住者であることを確認すると、自動ドアの施錠を解除してマンション内への入館を可能とする。
【０００４】
更に、読み込んだ認証コードに該当する居住者の居住階床のエレベータの呼びを予め登録して、その他の呼び登録を受け付けないエレベータの呼び登録制御を実行する。これにより乗りかごに他の乗客(例えばマンションの他の居住者や訪問者など)が同乗することがなく、居住階床まで一人で移動できるようにしたエレベータの防犯システムが提案されている(従来技術２  特許文献１参照)。
【先行技術文献】
【特許文献】
【０００５】
【特許文献１】特許第４５９２３０１号公報
【発明の概要】
【発明が解決しようとする課題】
【０００６】
前記従来技術１は、犯罪発生後に記録した監視カメラの映像を再生して犯罪者を特定するだけであり、犯罪発生時に乗りかご内に同乗者が居る場合、予防効果はあるものの犯罪発生時の即応性に欠け、犯罪発生時に同乗者に精神的な不安を与える。
【０００７】
また、前記従来技術２(特許文献１)は、居住者の認証カードを読み込んで、認証カードの認証コードと予め記憶されている居住者登録の認証コードが一致したとき、自動的にその他の呼び登録を禁止して、エレベータの乗りかごに他の乗客が同乗することが無く、居住階床まで一人で移動できるようにしているので、居住者一人がエレベータを専用することが多く、エレベータの運転効率が悪いという問題がある。
【０００８】
本発明の目的は、エレベータの乗りかご内で訪問者など他に同乗者が居ても、安心してエレベータが利用でき、また、エレベータの運転効率が悪くなるという問題もないエレベータの防犯システムを提供することにある。
【課題を解決するための手段】
【０００９】
前記目的を達成するために本発明は、乗りかご内を監視する監視カメラと、集合住宅の居住者であることを照合する居住者照合装置と、前記居住者の認証情報と前記居住者の居室がある階床信号を記憶する記憶部を有する端末装置と、前記乗りかごを玄関階に呼び寄せる玄関階呼び寄せ指令部、所望の階床のかご呼び登録を行うかご呼び登録指令部、かご呼び釦の操作を検出するかご呼び釦操作検出部を有するエレベータ運行制御装置と、前記監視カメラの映像を記録する記録部、前記記録部に記録された映像を再生表示する表示部を有する監視装置を備え、乗客の照合による前記居住者照合装置からの検出信号と、前記記憶部に記憶されている前記認証情報の一致で、前記乗客が前記集合住宅の居住者であることを前記端末装置で認証すると、前記玄関階呼び寄せ指令部により玄関階呼び自動登録して前記乗りかごを前記玄関階に呼び寄せ、前記乗りかごが玄関階に到達した後、前記かご呼び登録指令部により前記記憶部に記憶されている当該居住者の階床信号をかご呼び登録信号として自動登録して、前記乗りかごを当該居住者の居住階床まで運行するエレベータの防犯システムであって、前記かご呼び釦操作検出部で前記かご呼び釦の操作を検出すると、当該乗りかごの運行中における前記監視カメラの映像を前記記録部で記録し、記録した映像を防犯監視画面として前記表示部に表示するように制御することを特徴とする。
【発明の効果】
【００１０】
本発明によれば、エレベータの乗りかご内で、訪問者など他に同乗者が居ても、安心してエレベータが利用でき、また、エレベータの運転効率が悪くなるという問題もないエレベータの防犯システムを提供することができる。
【図面の簡単な説明】
【００１１】
【図１】本発明の実施形態に係る集合住宅におけるエレベータの防犯システムの要部構成を示すブロック図である。
【図２】その防犯システム内における端末装置の動作を説明するフローチャートである。
【図３】その防犯システム内におけるエレベータ運行制御装置の動作を説明するフローチャートである。
【図４】その防犯システム内における監視装置の動作を説明するフローチャートである。
【発明を実施するための形態】
【００１２】
以下、本発明の集合住宅におけるエレベータの防犯システムの一実施形態を図に基づいて説明する。図１は、本発明の実施形態に係る集合住宅(マンション)におけるエレベータの防犯システムの要部構成を示すブロック図である。
【００１３】
図１に示すように、マンション１の玄関(図示せず)には、入退館時以外は施錠して入退館時にその施錠を解除して開閉する自動ドア２と、居住者３が入館時に使用する認証カード４から認証コードを読み取る居住者照合装置としてのカードリーダ５と、訪問者(図示せず)が訪問先の居室番号を入力することで、当該居室の居住者と通話ができる玄関インターホン６が設けられている。このカードリーダ５と玄関インターホン６は、自動ドア２のマンション外側の所定位置に設けられている。
【００１４】
マンション１の昇降路(図示せず)内には乗りかご７が昇降可能に設置され、乗りかご７の出入り口の近傍には行先階を登録するかご呼び釦７Ａが設けられ、乗りかご７の天井部には乗りかご７の出入り口側に向いた監視カメラ７Ｂが設置されている。
【００１５】
また、端末装置８と、乗りかご７の運行を制御するエレベータ運行制御装置９と、カードリーダ５で読み取った認証コードの記憶、監視カメラ７Ｂを含みマンション１に設置されている複数の監視カメラ(図示せず)の映像記録や映像再生を行う監視装置１０が設けられている。
【００１６】
これら端末装置８、エレベータ運行制御装置９ならびに監視装置１０は図１に示すように、夫々が有している通信部８Ａ，９Ａ，８Ａを介して相互に接続されているとともに、自動ドア２の開閉駆動装置(図示せず)、カードリーダ５、玄関インターホン６ならびに監視カメラ７Ｂを含む複数の監視カメラとも接続されている。
【００１７】
マンション１内に複数台のエレベータが設置されている場合、端末装置８とエレベータ運行制御装置９はエレベータに対応して複数台設けられ、監視装置１０は例えばマンション１内の管理人室に１台設けられている。
【００１８】
この実施形態では監視装置１０がマンション１内に設置されているが、本発明はこれに限定されるものではなく、後述のように監視装置１０はマンション１外の所に設置されて、端末装置８ならびにエレベータ運行制御装置９と通信可能に接続されているものも含む。
【００１９】
玄関インターホン６はテンキー６Ａにより、端末装置８を介して、マンション１の多数ある居室の一部屋である例えば２０３号室１１の居室インターホン１１Ａに接続され、玄関インターホン６と居室インターホン１１Ａで通話が行える。
また、居室の例えば居室インターホン１１Ａなどに設けられている釦状の自動ドア開放操作部１１Ａａを押せば、自動ドア２の施錠が解除されて自動ドア２が開くようになっている。
【００２０】
端末装置８は通信部８Ａの他に、端末制御部８Ｂと記憶部８Ｃと自動ドア開放指令部８Ｄを有して、各部は図に示すような接続関係になっている。  
端末制御部８Ｂは、それに設けられている各種機器の制御、カードリーダ５からの認証コードの取得、玄関インターホン６のテンキー６Ａからの情報の取得などを行う。
【００２１】
記憶部８Ｃには、マンション１の全ての居住者３に配布した認証カード４の認証コード、ならびに認証コードに関連した情報(例えば居住者３の氏名、居室番号、居室の階床など、以下、関連情報と略記することもある)が記憶される。  
自動ドア開放指令部８Ｄは、自動ドア２の開閉駆動装置にドア開放信号を送信して、自動ドア２を開放する機能を有している。
【００２２】
端末装置８は、カードリーダ５を介して取得した認証コード(検出信号)が記憶部８Ｃに記憶されている認証コードと一致すると、マンション１の居住者３だと判断し、居住者入館指令部８Ｂａを起動する。この居住者入館指令部８Ｂａは居住者入館信号を自動ドア開放指令部８Ｄに送信して、自動ドア２を開放する。
【００２３】
さらに端末装置８は、居住者入館信号と、認証コードならびにその関連情報と、認証コードの読み込み時刻を、通信部８Ａを介してエレベータ運行制御装置９と監視装置１０に送信して記録される。
【００２４】
端末装置８から監視装置１０に送信・記録される情報として、自動ドア開放操作部１１Ａａを操作して自動ドア２を開放した居室インターホン１１Ａが設けられている居室番号(図１に示す例では２０３号室)と、玄関インターホン６あるいは(および)居室インターホン１１Ａの操作時刻などで構成される入館情報もある。
【００２５】
端末制御部８Ｂは、居室インターホン１１Ａに設けられている自動ドア開放操作部１１Ａａの操作信号を通信部８Ａを介して受信すると、自動ドア開放指令部８Ｄを起動して、自動ドア２を開く。
【００２６】
エレベータ運行制御装置９は、通信部９Ａと、各種プログラムを記憶した記憶部９Ｂと、そのプログラムに従って乗りかご７の運行を制御するかご運行制御部９Ｃを有し、各部は図に示すような接続関係になっている。
通信部９Ａは、端末装置８や監視装置１０との信号の送受信と、乗りかご７のかご呼び釦７Ａとの信号の送受信を行う。
【００２７】
かご運行制御部９Ｃは、玄関階呼び寄せ指令部９Ｃａと、かご呼び登録指令部９Ｃｂと、かご呼び釦操作検出部９Ｃｃを有している。
玄関階呼び寄せ指令部９Ｃａは、端末装置８から通信部９Ａを介して、居住者入館信号と、認証コードならびにその関連情報を受信すると、乗りかご７をマンション１の玄関階に呼び寄せる指令信号を発信するものである。
【００２８】
かご呼び登録指令部９Ｃｂは、乗りかご７がマンション１の玄関階に到達したことをセンサー(図示せず)で検出すると、居住者入館信号と一緒に送信される認証コードに対する居住者３の階床信号に基づいて、乗場に設けられているかご呼び釦７Ａ、あるいは乗りかご７内に設けられているかご呼び釦(図示せず) の操作で登録されるかご呼び登録と同等なかご呼び登録信号を出力するものである。  
【００２９】
かご呼び釦操作検出部９Ｃｃは、かご呼び釦７Ａの押圧操作でかご呼びが登録されたことを検出するものである。
また、かご運行制御部９Ｃは、かご呼び釦操作検出部９Ｃｃがかご呼び釦７Ａの操作を検出すると、認証カード４を持たない居住者以外の訪問者がエレベータを利用したと判断し、通信部９Ａを介して監視装置１０に訪問者検出信号を送信する。
【００３０】
さらに、かご運行制御部９Ｃは、端末装置８から受信した認証コードに対する居住者３の階床信号に基づいて、かご呼び登録指令部９Ｃｂから出力されるかご呼び登録信号と、かご呼び釦７Ａの操作で登録されるかご呼び登録信号の少なくとも一方のかご呼び登録に対して、通信部９Ａを介して監視装置１０にかご呼び応答終了信号を送信する。
【００３１】
監視装置１０は、通信部１０Ａと監視制御部１０Ｂと記録部１０Ｃと表示部１０Ｄと記憶部１０Ｅを有し、各部は図に示すような接続関係になっている。
監視制御部１０Ｂは、それに設けられている各種機器の制御を行うものであり、内部に表示制御部１０Ｂａを有している。記録部１０Ｃは、通信部１０Ａで受信した監視カメラ７Ｂを含む複数の監視カメラの映像を記録するものである。
【００３２】
表示部１０Ｄは記録部１０Ｃに記録されている監視カメラ７Ｂの映像を再生表示するもので、通常監視画面１０Ｄａと防犯監視画面１０Ｄｂの切り替えを表示制御部１０Ｂａで行うようになっている。
【００３３】
通常監視画面１０Ｄａは、マンション１の中には複数台のエレベータが設置されていることがあり、各エレベータの乗りかご７にそれぞれ監視カメラが設けられているから、それら複数の監視カメラが撮影した映像を、表示部１０Ｄの画面に分割して設けられた複数個(本実施形態では４個)の表示エリアに複数個所の映像が同時に表示される。
そして所定時間毎に監視カメラの映像の表示位置を切り替えることで、全ての監視カメラの映像を表示する画面である。  
【００３４】
防犯監視画面１０Ｄｂは、監視カメラ７Ｂの乗りかご７内の映像を表示部１０Ｄの画面を分割しないで単独画面で大きく表示する画面である。
また、表示制御部１０Ｂａは、エレベータ運行制御装置９からの訪問者検出信号を受信すると、表示部１０Ｄの画面を通常監視画面１０Ｄａから防犯監視画面１０Ｄｂに自動的に切り替えて、訪問者が乗った乗りかご７の監視を行う。
【００３５】
エレベータ運行制御装置９からかご呼び応答終了信号を受信すると、表示部１０Ｄの画面を防犯監視画面１０Ｄｂから通常監視画面１０Ｄａに自動的に切り替えて、通常の表示モードに戻る。
【００３６】
記憶部１０Ｅは、監視制御部１０Ｂのプログラムを記憶するとともに、カードリーダ５によって読み取った認証カード４の認証コードとそれの読み取り時刻、認証コードの関連情報、自動ドア２を開放した居室インターホン１１Ａが設けられている所の居室番号、自動ドア２を開放した時刻、端末装置８から送信される各種情報などを記憶する。
【００３７】
次に端末装置８、エレベータ運行制御装置９ならびに監視装置１０の各動作について説明する。図２は、端末装置８の動作を説明するフローチャートである。
最初、ステップ(以下、Ｓと略記する)Ａ１で端末装置８の端末制御部８Ｂは、居室(例えば２０３号室１１)の居室インターホン１１Ａに設けられている自動ドア開放操作部１１Ａａが操作され、自動ドア２の開放指令信号が通信部８Ａに送信されたか否か判断される。
【００３８】
自動ドア２の開放指令信号が送信されていない場合(ＳＡ１でＮＯ)、端末制御部８Ｂは、カードリーダ５が認証カード４の認証コードを読み込んだ否か判断される(ＳＡ２)。認証コードを読み込みがない場合(ＳＡ２でＮＯ)は、ＳＡ１に戻る。
【００３９】
ＳＡ２で認証コードを読み込んだと判断されると(ＳＡ２でＹＥＳ) 、次に端末制御部８Ｂは、読み込んだ認証コードが記憶部８Ｃに記憶されているか否かにより、マンション１への入館が可能か否か判断する(ＳＡ３)。認証コードが記憶部８Ｃに記憶されていない場合(ＳＡ３でＮＯ)、ＳＡ１に戻る。
【００４０】
読み込んだ認証コードが記憶部８Ｃに記憶されている場合(ＳＡ３でＹＥＳ)、端末制御部８Ｂはマンションの居住者３が入館すると判断して、居住者入館指令部８Ｂａを起動する。この居住者入館指令部８Ｂａは、居住者入館信号、認証コードとそれの読み取り時刻、認証コードの関連情報などの居住者入館情報を、通信部８Ａを介してエレベータ運行制御装置９と監視装置１０に送信する(ＳＡ４)。
また、居住者入館指令部８Ｂａは、居住者入館信号を自動ドア開放指令部８Ｄに送信してそれを起動し、自動ドア２の開閉駆動装置に開放指令信号を送信する(ＳＡ５)。
【００４１】
一方、ＳＡ１で居室インターホン１１Ａから自動ドア２の開放指令信号が送信された場合(ＳＡ１でＹＥＳ)、端末装置８は、開放指令信号を出力した居室インターホン１１Ａの居室番号や開放指令信号の出力時刻などの訪問者情報を、通信部８Ａを介して監視装置１０に送信する(ＳＡ６)。
【００４２】
次にＳＡ５において、自動ドア開放指令部８Ｄを起動し、自動ドア２の開閉駆動装置に開放指令信号を送信して自動ドア２を開放し、居住者または２０３号室１１への訪問者(図示せず)をマンション１へ入館させる。
【００４３】
図３は、エレベータ運行制御装置９の動作を説明するフローチャートである。  
最初、ＳＢ１でエレベータ運行制御装置９のかご運行制御部９Ｃは、端末装置８から出力される居住者入館信号、認証コードとその関連情報、認証コードの読み取り時刻などの居住者入館情報を、通信部９Ａを介して受信したか否かを判断する。
【００４４】
居住者入館情報を受信している場合(ＳＢ１でＹＥＳ)、かご運行制御部９Ｃは、玄関階呼び寄せ指令部９Ｃａから玄関階呼び寄せ信号を出力し(ＳＢ２)、乗りかご７を運行させ (ＳＢ３)、乗りかご７が玄関階に到着したか否かをセンサーからの出力の有無で判断する(ＳＢ４)。
【００４５】
乗りかご７が玄関階に到着すると(ＳＢ４でＹＥＳ)、乗りかご７の出入り口を所定時間(本実施形態では３０秒間)開放させる。その所定時間が経過すると、かご呼び登録指令部９Ｃｂにより、ＳＢ１で受信した居室の階床信号をかご呼び登録信号として登録する(かご行先階登録)(ＳＢ５)。
【００４６】
このようにエレベータ運行制御装置９では、居住者３が認証カード４をカードリーダ５に翳すことによる居住者入館情報を受信するだけで、乗りかご７を玄関階に呼び寄せ、さらに居住者３が居住する階床のかご呼び登録(かご行先登録)を行い、その階床まで居住者３を運ぶことができる。
【００４７】
一方、ＳＢ１で居住者入館情報を受信していない場合 (ＳＢ１でＮＯ)、エレベータ運行制御装置９は、各階床に設けられている乗りかご７を呼び寄せるための乗り場かご呼び釦７Ａの操作の有無を検出し(ＳＢ６)、乗り場かご呼び釦７Ａの操作が無い場合 (ＳＢ６でＮＯ)、ＳＢ１に戻る。
【００４８】
乗り場かご呼び釦７Ａの操作が有る場合 (ＳＢ６でＹＥＳ)、当該階床の乗り場かご呼びを登録し(ＳＢ７)、それに基づいて乗りかご７を運行させ(ＳＢ８)、乗り場かご呼びが登録された目的階に乗りかご７が到着したか否か判断する(ＳＢ９)。
【００４９】
ここで、２０３号室１１の居住者が訪問者の訪問を受けるため、居室インターホン１１Ａに設けられている自動ドア開放操作部１１Ａａの操作で自動ドア２を開放し、また、マンション１に入館した訪問者はエレベータを利用するためマンション１の玄関階に設けたかご呼び釦７Ａを操作するので、ＳＢ９の乗り場かご呼びが登録された目的階は玄関階となる。
【００５０】
次に、エレベータ運行制御装置９のかご呼び釦操作検出部９Ｃｃはかご呼び釦７Ａの操作を検出し(ＳＢ１０)、乗りかご７が停止してドアが開いてから例えば６０秒経過してもかご呼び釦７Ａの操作が無いと判断された場合(ＳＢ１０でＮＯ)、ＳＢ１に戻る。
【００５１】
ＳＢ１０でかご呼び釦操作検出部９Ｃｃが何れかのかご呼び釦７Ａの操作を検出すると、かご運行制御部９Ｃはマンション１の居住者以外の訪問者が乗りかご７に乗り込んだと判断して、監視装置１０に訪問者検出信号(居住者以外利用検出信号)を監視装置１０に送信し(ＳＢ１１)、操作されたかご呼び釦７Ａに対するかご呼び登録を行う(ＳＢ１２)。
次にかご運行制御部９Ｃは、ＳＢ５およびＳＢ１２で行ったかご呼び登録に対し、乗りかご７の運行を指令する(ＳＢ１３)。
【００５２】
また、かご呼び釦操作検出部９Ｃｃはかご呼び釦７Ａの操作を検出すると(ＳＢ１４でＹＥＳ)、かご運行制御部９Ｃは乗りかご７にはマンション１の居住者以外の訪問者が乗っていると判断する。そして、監視装置１０に訪問者検出信号を送信し(ＳＢ１５)、操作されたかご呼び釦７Ａに対するかご呼び登録を行う(ＳＢ１６)。
ＳＢ１４でかご呼び釦７Ａの操作が検出されなかった場合 (ＳＢ１４でＮＯ)、後述のＳＢ１７に進む。
【００５３】
前述のＳＢ１４とＳＢ１５に関し、居住者３が認証カード４を使用して自動ドア２を開いたとき、マンション１の居住者でない者(訪問者)が居住者３と一緒に入館して、乗りかご７に乗り込んでも、居住者でない者(訪問者)がかご呼び釦７Ａを押すこと、また、ＳＢ５でかご行先階登録された階床のかご呼び釦を居住者３が押すことで、乗りかご７に居住者以外の者が乗り込んでいることが検出できる。
【００５４】
ついで、かご運行制御部９Ｃは、ＳＢ５とＳＢ１２とＳＢ１６で行ったかご呼び登録に対する乗りかご７の応答が完了したか否か判断する(ＳＢ１７)。かご呼び登録が残っている場合 (ＳＢ１７でＮＯ)はＳＢ１３に戻り、かご呼び登録が完了であると(ＳＢ１７でＹＥＳ)乗客無しと判定して、かご呼び応答完了信号を監視装置１０に送信する(ＳＢ１８)。
【００５５】
図４は、監視装置１０の動作を説明するフローチャートである。  
最初、ＳＣ１で監視装置１０は、通信部１０Ａで受信した監視カメラ７Ｂを含む複数の監視カメラの映像を記録部１０Ｃに録画する。
【００５６】
また、監視制御部１０Ｂの表示制御部１０Ｂａは表示部１０Ｄに通常監視画面１０Ｄａを表示させて(ＳＣ２)、通常監視画面１０Ｄａの４個の表示エリアに監視カメラの映像を所定時間間隔で切り替えて表示させる。このことで監視員(図示せず)は、マンション１内全体の乗りかご７の状況が監視できる。
【００５７】
監視制御部１０Ｂは、端末装置８から送信された居住者入館情報(居住者入館信号、認証コードとそれの関連情報、認証コードの読み取り時刻などで構成されている情報)を、通信部１０Ａを介して受信した否かを判断する (ＳＣ３)。そして居住者入館情報を受信していない場合(ＳＣ３でＮＯ)、ＳＣ５に進む。居住者入館情報を受信している場合(ＳＣ３でＹＥＳ)、居住者入館情報を記憶部１０Ｅに記憶する(ＳＣ４)。
【００５８】
次に監視制御部１０Ｂは、端末装置８から送信される訪問者情報(自動ドア２の開放指令信号を出力した居室インターホン１１Ａを有する居室番号、開放指令信号の出力時刻などで構成されている情報)を、通信部１０Ａを介して受信した否かを判断する (ＳＣ５)。訪問者情報を受信していない場合(ＳＣ５でＮＯ)、ＳＣ２に戻る。訪問者情報を受信している場合(ＳＣ５でＹＥＳ)、訪問者情報を記憶部１０Ｅに記憶する(ＳＣ６)。
【００５９】
次に監視制御部１０Ｂは、エレベータ運行制御装置９から送信される訪問者検出信号(かご呼び釦操作検出部９Ｃｃからの検出信号)を、通信部１０Ａを介して受信した否かを判断する (ＳＣ７)。訪問者検出信号を受信していない場合(ＳＣ７でＮＯ)、ＳＣ２に戻る。訪問者検出信号を受信している場合(ＳＣ７でＹＥＳ)、訪問者検出信号を受信した時刻を加えて訪問者検出信号・時刻情報として記憶部１０Ｅに記憶する(ＳＣ８)。
【００６０】
また、監視制御部１０Ｂは、訪問者が乗りかご７に同乗している旨を記す信号であるログを記録部１０Ｃに記録する(ＳＣ９)。このようにログを記録しておけば、表示部１０Ｄで乗りかご７内の映像を再生するとき、ログが付された映像を抽出すれば、乗りかご７に乗り込んだ訪問者の確認が確実にかつ短時間に行える。
【００６１】
さらに監視制御部１０Ｂは表示制御部１０Ｂａに画面切替信号を出力し、表示制御部１０Ｂａは表示部１０Ｄの画面を通常監視画面１０Ｄａから防犯監視画面１０Ｄｂに切り替えて、監視カメラ７Ｂが撮影する乗りかご７内の映像を表示部１０Ｄの全画面に表示させる(ＳＣ１０)。
【００６２】
このように、監視カメラ７Ｂが撮影する乗りかご７内の映像を表示部１０Ｄにおいて単独画面で表示させることにより、監視員は大きくなった防犯監視画面１０Ｄｂを見ながら防犯監視が行われ、乗りかご７内での犯罪を見逃すことなく、迅速な対応ができる。
【００６３】
しかる後、監視制御部１０Ｂは、エレベータ運行制御装置９から送信されるかご呼び応答終了信号を、通信部１０Ａを介して受信した否かを判断する (ＳＣ１１)。そしてかご呼び応答終了信号を受信していない場合(ＳＣ１１でＮＯ)、ＳＣ１０に戻る。
【００６４】
かご呼び応答終了信号を受信している場合(ＳＣ１１でＹＥＳ)、ＳＣ９で記録部１０Ｃに記録しているログの記録を解除するとともに、表示制御部１０Ｂａに画面切替信号を出力し(ＳＣ１２)、防犯監視画面１０Ｄｂの表示を解除し、ＳＣ２に戻り通常監視画面１０Ｄａに切り替えて通常の表示モードにする。
【００６５】
このように、乗りかご７のかご呼び登録が全て完了すると、訪問者が乗りかご７から降りたと判断し、マンション１に設けて複数の監視カメラの映像を通常監視画面１０Ｄａに切り替えて表示し、監視員はマンション１の全体の映像監視を行うことができる。
【００６６】
本実施形態では、表示部１０Ｄの画面を４分割して各表示エリアに個々の通常監視画面１０Ｄａを表示しているが、防犯監視画面１０Ｄｂに切り替わると表示部１０Ｄの単独画面の表示となり、従って通常監視画面１０Ｄａの４倍の広さの防犯監視画面１０Ｄｂであるから、監視員は映像を見逃すことがなく、精度の高い監視ができる。
【００６７】
また、監視装置１０は、端末装置８から訪問者情報(自動ドア開放操作部１１Ａａの操作で出力される自動ドア開放操作部信号と操作時刻、その居室番号、エレベータ運行制御装置９からかご呼び釦７Ａの操作で出力される訪問者検出信号とそれの受信時刻など)を記憶部１０Ｅに記憶させるとともに、かご呼び釦７Ａが操作されてからかご呼び登録が終了するまでの間に記録部１０Ｃへログを記録している。そのためログを利用して、乗りかご７に乗り込んだ訪問者の確認が確実にかつ短時間に行える。
【００６８】
さらに、かご呼び登録のためにかご呼び釦７Ａを操作することで、エレベータ運行制御装置９から監視装置１０に訪問者検出信号が送信されるので、乗りかご７に同乗者が居て不安を感じたときに、マンション１の居住者が自分の居住階のかご呼び釦を操作すれば、監視員による乗りかご７内の映像監視が受けられるので、犯罪の早期解決に繋がる。
【００６９】
前記実施形態では、監視装置をマンション内の管理人室に設置した構成で説明したが、監視装置をマンション以外の所(例えば複数のマンションを統括して管理するエレベータ管理センターなど)に設置して、マンション内にある端末装置ならびにエレベータ運行制御装置と通信回線で接続しても構わない。
【００７０】
前記実施形態では、マンションの自動ドア付近にカードリーダを設置し、乗りかごが玄関階に到達して所定時間経過すると、端末装置から送信される階床信号を受信するとその信号をかご呼び登録信号としてエレベータを運行していたが、マンションの玄関階のエレベータ乗場に乗場用カードリーダを設置し、その乗場用カードリーダに認証カードの認証コードを読み込ませることにより、玄関階に到達した乗りかごの出入り口を開放させると共に、階床信号をかご呼び登録信号として、エレベータを運行することもできる。
【００７１】
前記実施形態では、表示部を監視装置にのみ設けたが、監視装置と例えばマンションの玄関階エレベータ乗場の両方など複数個所に設けることも可能である。
【００７２】
前記実施形態では、認証カードを用い、それに記憶されている認証コードをカードリーダで読み取って居住者の照合を行っているが、居住者の指紋を利用して指紋照合装置により居住者の照合を行うなど他の構成の居住者照合装置を用いることも可能である。
【００７３】
前述のように本発明は、乗客の照合による居住者照合装置からの検出信号と、記憶部に記憶されている認証情報の一致で、乗客が集合住宅の居住者であることを端末装置で認証すると、玄関階呼び寄せ指令部により玄関階呼び自動登録して乗りかごを玄関階に呼び寄せ、乗りかごが玄関階に到達した後、かご呼び登録指令部により記憶部に記憶されている当該居住者の階床信号をかご呼び登録信号として自動登録して、乗りかごを当該居住者の居住階床まで運行するエレベータを対象にしている。
【００７４】
このエレベータにおいて、乗場や乗りかご内に設けられているかご呼び釦を操作する者はマンション居住者以外の訪問者であることが多い。それを利用して、かご呼び釦の操作をかご呼び釦操作検出部で検出すると、当該乗りかごの運行中における監視カメラの映像を防犯監視画面として表示部に表示する構成になっている。
そのため訪問者の同乗者が居た状態で乗りかごの監視が自動的に行われるから、マンション居住者は安心してエレベータが利用できる。
【００７５】
また、特許文献１のように、居住者の認証カードを読み込んで、認証カードの認証コードと予め記憶されている居住者登録の認証コードが一致したとき、自動的にその他の呼び登録を禁止して、エレベータの乗りかごに他の乗客が同乗することが無く、居住階床まで一人で移動できるようにしたものではない。従って、居住者と訪問者、居住者と訪問者と居住者以外の他の居住者などが同乗することがあり、エレベータの運転効率が悪くなるという問題はない。
【００７６】
前記実施形態では、乗りかごの監視装置に表示部の画面を複数に分割して表示する通常監視画面と画面を分割しないで表示部の全画面を防犯監視画面に切り替える表示制御手段が設けられ、かご呼び釦操作検出部によるかご呼び釦操作の検出が無いときには、表示制御手段により表示部の画面は通常監視画面になり、複数に分割された画面に複数の監視カメラの映像がそれぞれ表示され、かご呼び釦操作検出部によるかご呼び釦操作の検出があると、表示制御手段により通常監視画面の画面から防犯監視画面に切り替えて表示する構成になっている。
【００７７】
そのため訪問者の同乗者が無いときは、複数に分割された通常監視画面となり、集合住宅の複数個所(広範囲)を監視することができる。また、訪問者が同乗すると、表示制御手段により通常監視画面から防犯監視画面に自動的に切り替えて表示できるから、防犯監視用に格別な表示部を設ける必要はない。
【００７８】
また、防犯監視画面は画面を分割しないで全画面(単独画面)で構成され、表示画面の映像は乗りかごの映像のみであるから、乗りかごでの犯罪を見逃すことなく、迅速な対応が行える。
【００７９】
さらに前記実施形態では、かご呼び釦操作検出部によるかご呼び釦操作の検出が有ると、記録部は居住者以外の者が当該エレベータを利用している信号(例えばログ)を映像と共に記録するから、表示部で乗りかご内の映像を再生するとき、信号(例えばログ)が付された映像を抽出すれば、乗りかごに乗り込んだ訪問者の確認が確実にかつ短時間に行える。
【００８０】
さらにまた前記実施形態では、居住者照合装置と記憶部により乗客が集合住宅の居住者であると端末装置が認証すると、自動ドア開放指令部により自動ドアを開放して居住者の集合住宅への入館を可能にするから、居住者の集合住宅への入館から乗りかごを利用した居住階への移動までが、安心してかつスムーズに行われる。
【００８１】
また前記実施形態では、集合住宅外側に玄関インターンホンが設けられ、各居住者の居室に居室インターンホンと自動ドア開放操作部が設けられて、玄関インターンホンと居室インターンホンが通話可能に接続され、自動ドア開放操作部により自動ドアが開放可能になっている。
そのため、集合住宅居住者を認証するための認証カードなどを持たない訪問者でも訪問先の居住者と通話し、集合住宅内に入館して、支障なく訪問先を訪れることができる。
【００８２】
さらに前記実施形態では、自動ドア開放操作部により自動ドアを開放した際の訪問者に関する情報(例えば訪問先の居室番号や居室インターホンの操作時刻など)を監視装置に記憶するため、その訪問者情報を利用して訪問者の特定が正確かつ迅速である。
【符号の説明】
【００８３】
１：マンション
２：自動ドア
３：居住者
４：認証カード
５：カードリーダ
６：玄関インターホン
６Ａ：テンキー
７：乗りかご
７Ａ：かご呼び釦
７Ｂ：監視カメラ 
８：端末装置
８Ｂ：端末制御部
８Ｂａ：居住者入館指令部
８Ｃ：記憶部
８Ｄ：自動ドア開放指令部
９：エレベータ運行制御装置
９Ｂ：記憶部
９Ｃ：かご運行制御部
９Ｃａ：玄関階呼び寄せ指令部
９Ｃｂ：かご呼び登録指令部
９Ｃｃ：かご呼び操作検出部
１０：監視装置
１０Ｄａ：通常監視画面
１０Ｄｂ：防犯監視画面
１１：２０３号室
１１Ａ：居室インターホン 
１１Ａａ：自動ドア開放操作部 
【図１】
2016016953.tif 000003
【図２】
2016016953.tif 000004
【図３】
2016016953.tif 000005
【図４】
2016016953.tif 000006